(57)【特許請求の範囲】
【請求項１】
複数のソーシャル・ネットワーキング・サービス提供用サーバ装置、コンテンツ提供者用端末装置及びユーザ用端末装置が接続されたサーバ装置において、
前記サーバ装置を利用するために選定されたコンテンツ提供者固有のシステム用識別情報、及び前記複数のソーシャル・ネットワーキング・サービス提供用サーバ装置に記憶されたコンテンツ提供者固有の複数のソーシャル・ネットワーキング・サービス用識別情報を含むコンテンツ提供者情報と、コンテンツ提供者が使用する前記コンテンツ提供者用端末装置から提供されたコンテンツとを対応付けて記憶する記憶部と、
所望のコンテンツの取得を要求するコンテンツ取得要求が前記ユーザ用端末装置から送信され、これを受信すると、コンテンツの取得に必要な条件を表すコンテンツ取得要件情報を前記ユーザ用端末装置に送信した後、
ユーザが前記複数のソーシャル・ネットワーキング・サービス提供用サーバ装置のうちの所望の前記ソーシャル・ネットワーキング・サービス提供用サーバ装置を利用するために割り当てられた、ユーザ固有のソーシャル・ネットワーキング・サービス用識別情報と、ユーザが前記コンテンツ取得要件情報に同意したことを表すコンテンツ取得要件同意情報とが、前記ユーザ用端末装置から送信され、これらを受信した場合には、
前記コンテンツ取得要求によって指定されたコンテンツと対応付けて前記記憶部に記憶されている前記コンテンツ提供者情報に含まれる前記コンテンツ提供者固有のソーシャル・ネットワーキング・サービス用識別情報であって、かつ前記ソーシャル・ネットワーキング・サービス提供用サーバ装置に記憶されている前記コンテンツ提供者固有のソーシャル・ネットワーキング・サービス用識別情報に、前記ユーザ固有のソーシャル・ネットワーキング・サービス用識別情報を関連付けて記憶させるための第１の記憶制御情報と、前記ユーザ用端末装置から送信された前記ユーザ固有のソーシャル・ネットワーキング・サービス用識別情報であって、かつ前記ソーシャル・ネットワーキング・サービス提供用サーバ装置に記憶されている前記ユーザ固有のソーシャル・ネットワーキング・サービス用識別情報に、コンテンツ提供者から提供されているコンテンツを取得したことを示す伝達情報を関連付けて記憶させるための第２の記憶制御情報とを生成し、これらを前記ソーシャル・ネットワーキング・サービス提供用サーバ装置に送信すると共に、
前記コンテンツ取得要求によって指定されたコンテンツを前記記憶部から読み出し、これを前記ユーザ用端末装置に送信する制御部と
を備えることを特徴とするサーバ装置。
【請求項２】
複数のソーシャル・ネットワーキング・サービス提供用サーバ装置、コンテンツ提供者用端末装置及びユーザ用端末装置が接続されたサーバ装置の情報伝達方法において、
前記サーバ装置を利用するために選定されたコンテンツ提供者固有のシステム用識別情報、及び前記複数のソーシャル・ネットワーキング・サービス提供用サーバ装置に記憶されたコンテンツ提供者固有の複数のソーシャル・ネットワーキング・サービス用識別情報を含むコンテンツ提供者情報と、コンテンツ提供者が使用する前記コンテンツ提供者用端末装置から提供されたコンテンツとを対応付けて記憶する記憶ステップと、
所望のコンテンツの取得を要求するコンテンツ取得要求が前記ユーザ用端末装置から送信され、これを受信すると、コンテンツの取得に必要な条件を表すコンテンツ取得要件情報を前記ユーザ用端末装置に送信するコンテンツ取得要件情報送信ステップと、
ユーザが前記複数のソーシャル・ネットワーキング・サービス提供用サーバ装置のうちの所望の前記ソーシャル・ネットワーキング・サービス提供用サーバ装置を利用するために割り当てられた、ユーザ固有のソーシャル・ネットワーキング・サービス用識別情報と、ユーザが前記コンテンツ取得要件情報に同意したことを表すコンテンツ取得要件同意情報とが、前記ユーザ用端末装置から送信され、これらを受信した場合には、
前記コンテンツ取得要求によって指定されたコンテンツと対応付けて前記記憶部に記憶されている前記コンテンツ提供者情報に含まれる前記コンテンツ提供者固有のソーシャル・ネットワーキング・サービス用識別情報であって、かつ前記ソーシャル・ネットワーキング・サービス提供用サーバ装置に記憶されている前記コンテンツ提供者固有のソーシャル・ネットワーキング・サービス用識別情報に、前記ユーザ固有のソーシャル・ネットワーキング・サービス用識別情報を関連付けて記憶させるための第１の記憶制御情報と、前記ユーザ用端末装置から送信された前記ユーザ固有のソーシャル・ネットワーキング・サービス用識別情報であって、かつ前記ソーシャル・ネットワーキング・サービス提供用サーバ装置に記憶されている前記ユーザ固有のソーシャル・ネットワーキング・サービス用識別情報に、コンテンツ提供者から提供されているコンテンツを取得したことを示す伝達情報を関連付けて記憶させるための第２の記憶制御情報とを生成し、これらを前記ソーシャル・ネットワーキング・サービス提供用サーバ装置に送信する記憶制御情報送信ステップと、
前記コンテンツ取得要求によって指定されたコンテンツを前記記憶部から読み出し、これを前記ユーザ用端末装置に送信するコンテンツ送信ステップと
を備えることを特徴とするサーバ装置の情報伝達方法。
【発明の詳細な説明】
【技術分野】
【０００１】
本発明は、サーバ装置及びその情報伝達方法に関する。
【背景技術】
【０００２】
従来、ソーシャル・ネットワーキング・サービス（ＳＮＳ）としては、例えばブログ、ツイッター（登録商標）、フェイスブック（登録商標）など、種々のサービスが世界中で開発され、広く普及している。また、近年では、ソーシャル・ネットワーキング・サービスを利用した種々の広告手法が、提案及び開発されている（例えば、特許文献１参照）。
【先行技術文献】
【特許文献】
【０００３】
【特許文献１】特開２００８−１７１２２３号公報
【発明の概要】
【発明が解決しようとする課題】
【０００４】
本発明は、ソーシャル・ネットワーキング・サービスの情報伝達機能を利用することにより、コンテンツ提供者から提供されるコンテンツを取得したユーザを介して、当該ユーザに関連付けられたソーシャル・ネットワーキング・サービス利用者に対して、コンテンツ提供者に関連する所定の情報を伝達することができ、従って情報伝達効率を向上させることができるサーバ装置及びその情報伝達方法を提供することを目的とする。
【課題を解決するための手段】
【０００５】
本発明の一態様によるサーバ装置は、
複数のソーシャル・ネットワーキング・サービス提供用サーバ装置、コンテンツ提供者用端末装置及びユーザ用端末装置が接続されたサーバ装置において、
前記サーバ装置を利用するために選定されたコンテンツ提供者固有のシステム用識別情報、及び前記複数のソーシャル・ネットワーキング・サービス提供用サーバ装置に記憶されたコンテンツ提供者固有の複数のソーシャル・ネットワーキング・サービス用識別情報を含むコンテンツ提供者情報と、コンテンツ提供者が使用する前記コンテンツ提供者用端末装置から提供されたコンテンツとを対応付けて記憶する記憶部と、
所望のコンテンツの取得を要求するコンテンツ取得要求が前記ユーザ用端末装置から送信され、これを受信すると、コンテンツの取得に必要な条件を表すコンテンツ取得要件情報を前記ユーザ用端末装置に送信した後、
ユーザが前記複数のソーシャル・ネットワーキング・サービス提供用サーバ装置のうちの所望の前記ソーシャル・ネットワーキング・サービス提供用サーバ装置を利用するために割り当てられた、ユーザ固有のソーシャル・ネットワーキング・サービス用識別情報と、ユーザが前記コンテンツ取得要件情報に同意したことを表すコンテンツ取得要件同意情報とが、前記ユーザ用端末装置から送信され、これらを受信した場合には、
前記コンテンツ取得要求によって指定されたコンテンツと対応付けて前記記憶部に記憶されている前記コンテンツ提供者情報に含まれる前記コンテンツ提供者固有のソーシャル・ネットワーキング・サービス用識別情報であって、かつ前記ソーシャル・ネットワーキング・サービス提供用サーバ装置に記憶されている前記コンテンツ提供者固有のソーシャル・ネットワーキング・サービス用識別情報に、前記ユーザ固有のソーシャル・ネットワーキング・サービス用識別情報を関連付けて記憶させるための第１の記憶制御情報と、前記ユーザ用端末装置から送信された前記ユーザ固有のソーシャル・ネットワーキング・サービス用識別情報であって、かつ前記ソーシャル・ネットワーキング・サービス提供用サーバ装置に記憶されている前記ユーザ固有のソーシャル・ネットワーキング・サービス用識別情報に、コンテンツ提供者から提供されているコンテンツを取得したことを示す伝達情報を関連付けて記憶させるための第２の記憶制御情報とを生成し、これらを前記ソーシャル・ネットワーキング・サービス提供用サーバ装置に送信すると共に、
前記コンテンツ取得要求によって指定されたコンテンツを前記記憶部から読み出し、これを前記ユーザ用端末装置に送信する制御部と
を備える。
【０００６】
また、本発明の一態様によるサーバ装置の情報伝達方法は、
複数のソーシャル・ネットワーキング・サービス提供用サーバ装置、コンテンツ提供者用端末装置及びユーザ用端末装置が接続されたサーバ装置の情報伝達方法において、
前記サーバ装置を利用するために選定されたコンテンツ提供者固有のシステム用識別情報、及び前記複数のソーシャル・ネットワーキング・サービス提供用サーバ装置に記憶されたコンテンツ提供者固有の複数のソーシャル・ネットワーキング・サービス用識別情報を含むコンテンツ提供者情報と、コンテンツ提供者が使用する前記コンテンツ提供者用端末装置から提供されたコンテンツとを対応付けて記憶する記憶ステップと、
所望のコンテンツの取得を要求するコンテンツ取得要求が前記ユーザ用端末装置から送信され、これを受信すると、コンテンツの取得に必要な条件を表すコンテンツ取得要件情報を前記ユーザ用端末装置に送信するコンテンツ取得要件情報送信ステップと、
ユーザが前記複数のソーシャル・ネットワーキング・サービス提供用サーバ装置のうちの所望の前記ソーシャル・ネットワーキング・サービス提供用サーバ装置を利用するために割り当てられた、ユーザ固有のソーシャル・ネットワーキング・サービス用識別情報と、ユーザが前記コンテンツ取得要件情報に同意したことを表すコンテンツ取得要件同意情報とが、前記ユーザ用端末装置から送信され、これらを受信した場合には、
前記コンテンツ取得要求によって指定されたコンテンツと対応付けて前記記憶部に記憶されている前記コンテンツ提供者情報に含まれる前記コンテンツ提供者固有のソーシャル・ネットワーキング・サービス用識別情報であって、かつ前記ソーシャル・ネットワーキング・サービス提供用サーバ装置に記憶されている前記コンテンツ提供者固有のソーシャル・ネットワーキング・サービス用識別情報に、前記ユーザ固有のソーシャル・ネットワーキング・サービス用識別情報を関連付けて記憶させるための第１の記憶制御情報と、前記ユーザ用端末装置から送信された前記ユーザ固有のソーシャル・ネットワーキング・サービス用識別情報であって、かつ前記ソーシャル・ネットワーキング・サービス提供用サーバ装置に記憶されている前記ユーザ固有のソーシャル・ネットワーキング・サービス用識別情報に、コンテンツ提供者から提供されているコンテンツを取得したことを示す伝達情報を関連付けて記憶させるための第２の記憶制御情報とを生成し、これらを前記ソーシャル・ネットワーキング・サービス提供用サーバ装置に送信する記憶制御情報送信ステップと、
前記コンテンツ取得要求によって指定されたコンテンツを前記記憶部から読み出し、これを前記ユーザ用端末装置に送信するコンテンツ送信ステップと
を備える。
【発明の効果】
【０００７】
本発明のサーバ装置及びその情報伝達方法によれば、ソーシャル・ネットワーキング・サービスの情報伝達機能を利用することにより、コンテンツ提供者から提供されるコンテンツを取得したユーザを介して、当該ユーザに関連付けられたソーシャル・ネットワーキング・サービス利用者に対して、コンテンツ提供者に関連する所定の情報を伝達することができ、従って情報伝達効率を向上させることができる。
【図面の簡単な説明】
【０００８】
【図１】本発明の実施の形態による情報伝達システムの構成を示すブロック図である。
【図２】同情報伝達システムにおけるサーバ装置の構成を示すブロック図である。
【図３】本発明の実施の形態による情報伝達処理手順を示すフローチャートである。
【発明を実施するための形態】
【０００９】
以下、本発明の実施の形態について図面を参照して説明する。
【００１０】
図１に、本発明の実施の形態による情報伝達システム１０の構成を示す。この情報伝達システム１０は、コンテンツ提供者から提供されるコンテンツを取得したユーザを介して、当該ユーザに関連付けられたソーシャル・ネットワーキング・サービス利用者に対して、コンテンツ提供者に関連する所定の情報を伝達する情報伝達サービスを提供するためのシステムである。
【００１１】
情報伝達システム１０は、当該情報伝達サービスの提供を実現するためのサーバ装置２０と、第１のソーシャル・ネットワーキング・サービス（ＳＮＳ）提供用サーバ装置３０と、第２のソーシャル・ネットワーキング・サービス（ＳＮＳ）提供用サーバ装置４０と、第３のソーシャル・ネットワーキング・サービス（ＳＮＳ）提供用サーバ装置５０と、コンテンツ提供者用端末装置６０と、ユーザ用端末装置７０とを有する。
【００１２】
ここで、第１のＳＮＳ提供用サーバ装置３０は、例えばツイッター（登録商標）を提供するためのサーバ装置であり、第２のＳＮＳ提供用サーバ装置４０は、例えばフェイスブック（登録商標）を提供するためのサーバ装置であり、第３のＳＮＳ提供用サーバ装置５０は、例えば所望のブログサービスを提供するためのサーバ装置である。
【００１３】
図２に、サーバ装置２０の構成を示し、図３に、本実施の形態による情報伝達処理手順ＲＴ１０を示す。サーバ装置２０は、制御部１００と、入力部１１０と、送受信処理部１２０と、表示部１３０と、記憶部１４０とを有する。サーバ装置２０の記憶部１４０には、当該情報伝達サービスを提供するために必要なソフトウエアが予め記憶されている。制御部１００は、この記憶部１４０に記憶されているソフトウエアを読み出して実行することにより、各部の動作を制御する。
【００１４】
また、記憶部１４０には、当該情報伝達サービスを利用することができる第１〜第３のＳＮＳ提供用サーバ装置３０〜５０に関する情報からなる利用可能ＳＮＳ情報が予め記憶されている。なお、第１〜第３のＳＮＳ提供用サーバ装置３０〜５０、コンテンツ提供者用端末装置６０及びユーザ用端末装置７０についても、サーバ装置２０と同様の構成を有する。
【００１５】
ところで、本実施の形態の場合には、コンテンツ提供者が、第１〜第３のＳＮＳ提供用サーバ装置３０〜５０から提供されるソーシャル・ネットワーキング・サービスを利用するため、コンテンツ提供者用端末装置６０を操作し、インターネット回線を介して、直接、第１〜第３のＳＮＳ提供用サーバ装置３０〜５０にアクセスすることにより、コンテンツ提供者固有の第１〜第３のＳＮＳ用識別情報が、対応する第１〜第３のＳＮＳ提供用サーバ装置３０〜５０の記憶部（図示せず）にそれぞれ記憶され、利用者登録が既に行われているものとする。
【００１６】
また、同様にして、本実施の形態の場合には、ユーザが、第１〜第３のＳＮＳ提供用サーバ装置３０〜５０から提供されるソーシャル・ネットワーキング・サービスを利用するため、ユーザ用端末装置７０を操作し、インターネット回線を介して、直接、第１〜第３のＳＮＳ提供用サーバ装置３０〜５０にアクセスすることにより、ユーザ固有の第１〜第３のＳＮＳ用識別情報が、対応する第１〜第３のＳＮＳ提供用サーバ装置３０〜５０の記憶部（図示せず）にそれぞれ記憶され、利用者登録が既に行われているものとする。
【００１７】
さらに、同様にして、本実施の形態の場合には、サーバ装置２０を管理するシステム管理者が、第１〜第３のＳＮＳ提供用サーバ装置３０〜５０から提供されるソーシャル・ネットワーキング・サービスを利用するため、サーバ装置２０を操作し、インターネット回線を介して、第１〜第３のＳＮＳ提供用サーバ装置３０〜５０にアクセスすることにより、システム管理者固有の第１〜第３のＳＮＳ用識別情報が、対応する第１〜第３のＳＮＳ提供用サーバ装置３０〜５０の記憶部（図示せず）にそれぞれ記憶され、利用者登録が既に行われているものとする。
【００１８】
この状態において、まず、コンテンツ提供者は、サーバ装置２０が提供する情報伝達サービスを利用できるようにするため、サーバ装置２０に対して利用者登録を行う。
【００１９】
具体的には、コンテンツ提供者がコンテンツ提供者用端末装置６０を操作することにより、コンテンツ提供者情報として、サーバ装置２０を利用するために選定されたコンテンツ提供者固有のシステム用識別情報と、第１〜第３のＳＮＳ提供用サーバ装置３０〜５０に記憶されたコンテンツ提供者固有の第１〜第３のＳＮＳ用識別情報とを入力すると、コンテンツ提供者用端末装置６０は、このコンテンツ提供者情報をインターネット回線を介してサーバ装置２０に送信する。サーバ装置２０の制御部１００は、送信されてきたコンテンツ提供者情報を送受信処理部１２０を介して受信すると、これを記憶部１４０に記憶する（ステップＳＰ１０）。
【００２０】
続いて、コンテンツ提供者が、コンテンツ提供者用端末装置６０に保存されている例えば映像や音楽などのコンテンツをサーバ装置２０にアップロードしようとして、コンテンツ提供者用端末装置６０を操作すると、コンテンツ提供者用端末装置６０は、記憶部（図示せず）に記憶されている所望のコンテンツを、コンテンツ提供者固有のシステム用識別情報と共にインターネット回線を介してサーバ装置２０に送信する。
【００２１】
サーバ装置２０の制御部１００は、システム用識別情報と共に送信されてきたコンテンツを送受信処理部１２０を介して受信すると、記憶部１４０に記憶されているコンテンツ提供者情報の中から、受信したシステム用識別情報を有するコンテンツ提供者情報を検索し、受信したコンテンツを当該検索されたコンテンツ提供者情報と対応付けて記憶部１４０に記憶することにより、コンテンツの登録を行う（ステップＳＰ２０）。このようにして、種々のコンテンツが、順次サーバ装置２０の記憶部１４０に記憶及び登録される。
【００２２】
この状態において、ユーザがユーザ用端末装置７０を操作することにより、検索キーワードを入力すると、ユーザ用端末装置７０は、入力された検索キーワードをインターネット回線を介してサーバ装置２０に送信する。
【００２３】
サーバ装置２０の制御部１００は、送信されてきた検索キーワードを送受信処理部１２０を介して受信すると、この検索キーワードを用いて、記憶部１４０に記憶されている複数のコンテンツの中から、当該検索キーワードに関連するコンテンツのタイトル情報を読み出し、これらをユーザ用端末装置７０に送信することにより、検索キーワードに関連するコンテンツのタイトル情報の一覧をユーザ用端末装置７０の表示部（図示せず）に表示させる。
【００２４】
この状態において、ユーザが、ユーザ用端末装置７０の表示部（図示せず）に表示されたタイトル情報の一覧の中から所望のタイトルのコンテンツをダウンロードしようとして、当該コンテンツを選択するための選択操作を行うと、ユーザ用端末装置７０は、当該コンテンツを選択したことを表すコンテンツ選択情報を生成し、これをインターネット回線を介してサーバ装置２０に送信する（ステップＳＰ３０）。
【００２５】
サーバ装置２０の制御部１００は、送信されてきたコンテンツ選択情報を送受信処理部１２０を介して受信すると、記憶部１４０から利用可能ＳＮＳ情報を読み出し、これをユーザ用端末装置７０に送信することにより、利用可能なソーシャル・ネットワーキング・サービスの一覧をユーザ用端末装置７０の表示部（図示せず）に表示させる。
【００２６】
この状態において、ユーザが、ユーザ用端末装置７０の表示部（図示せず）に表示されたソーシャル・ネットワーキング・サービスの一覧の中から所望のソーシャル・ネットワーキング・サービスを選択するための選択操作を行うと、ユーザ用端末装置７０は、当該ソーシャル・ネットワーキング・サービスを選択したことを表すＳＮＳ選択情報を生成し、これをインターネット回線を介してサーバ装置２０に送信する（ステップＳＰ４０）。
【００２７】
その際、ユーザ用端末装置７０は、ユーザが当該ソーシャル・ネットワーキング・サービスを提供するＳＮＳ提供用サーバ装置にアクセスするために割り当てられたユーザ固有のＳＮＳ用識別情報についてもインターネット回線を介してサーバ装置２０に送信する。
【００２８】
サーバ装置２０の制御部１００は、送信されてきたＳＮＳ選択情報を送受信処理部１２０を介して受信すると、当該ＳＮＳ選択情報が表すソーシャル・ネットワーキング・サービス内において、コンテンツ提供者及びユーザがつながることを促す「つながる」ボタンを表示するために必要な画面表示情報を生成し、これをユーザ用端末装置７０に送信することにより、「つながる」ボタンをユーザ用端末装置７０の表示部（図示せず）に表示させる。
【００２９】
また、サーバ装置２０の制御部１００は、送信されてきたユーザ固有のＳＮＳ用識別情報を送受信処理部１２０を介して受信すると、これを図示しないメモリに一旦保持及び記憶する。
【００３０】
なお、「つながる」ボタンとは、例えば、ツイッター（登録商標）の場合には、「フォローする」ボタンを意味し、フェイスブック（登録商標）の場合には、「いいね」ボタンを意味し、ブログサービスの場合には、「読者になる」ボタンを意味する。
【００３１】
この状態において、ユーザがユーザ用端末装置７０を操作することにより、「つながる」ボタンを押下すると、ユーザ用端末装置７０は、「つながる」ボタンが押下されたことを表す「つながる」ボタン押下情報を生成し、これをサーバ装置に２０に送信する。
【００３２】
サーバ装置２０の制御部１００は、送信されてきた「つながる」ボタン押下情報を送受信処理部１２０を介して受信すると、ユーザによって選択されたコンテンツと対応付けて記憶部１４０に記憶されているコンテンツ提供者情報が有するコンテンツ提供者固有の第１〜第３のＳＮＳ用識別情報のうち、ユーザによって選択されたソーシャル・ネットワーキング・サービスに対応するコンテンツ提供者固有のＳＮＳ用識別情報を記憶部１４０から読み出す。
【００３３】
次いで、サーバ装置２０の制御部１００は、送受信処理部１２０及びインターネット回線を介して、ユーザによって選択されたソーシャル・ネットワーキング・サービスを提供するＳＮＳ提供用サーバ装置にアクセスすることにより、コンテンツ提供者固有のＳＮＳ用識別情報に、ユーザ用端末装置７０から送信されたユーザ固有のＳＮＳ用識別情報を関連付けるようにして当該ＳＮＳ提供用サーバ装置に記憶する。これにより、ユーザは、当該ソーシャル・ネットワーキング・サービス内において、コンテンツ提供者から発信される情報を閲覧することができる（ステップＳＰ５０）。
【００３４】
続いて、サーバ装置２０の制御部１００は、選択されたソーシャル・ネットワーキング・サービスに形成されているユーザのページに、ダウンロードの完了を表す情報を追加することを促す「広める」ボタンを表示するために必要な画面表示情報を生成し、これをユーザ用端末装置７０に送信することにより、「広める」ボタンをユーザ用端末装置７０の表示部（図示せず）に表示させる。
【００３５】
この状態において、ユーザがユーザ用端末装置７０を操作することにより、「広める」ボタンを押下すると、ユーザ用端末装置７０は、「広める」ボタンが押下されたことを表す「広める」ボタン押下情報を生成し、これをサーバ装置に２０に送信する。
【００３６】
サーバ装置２０の制御部１００は、送信されてきた「広める」ボタン押下情報を送受信処理部１２０を介して受信すると、送受信処理部１２０及びインターネット回線を介して、ユーザによって選択されたソーシャル・ネットワーキング・サービスを提供するＳＮＳ提供用サーバ装置にアクセスすることにより、ユーザ用端末装置７０から送信されたユーザ固有のＳＮＳ用識別情報に、所定の伝達情報を関連付けるようにして当該ＳＮＳ提供用サーバ装置に記憶する。これにより、当該ソーシャル・ネットワーキング・サービス内におけるユーザのページに、例えばコンテンツ提供者から提供されているコンテンツをダウンロードしたことを示す伝達情報が追加される（ステップＳＰ６０）。
【００３７】
その後、サーバ装置２０の制御部１００は、ユーザによって選択されたコンテンツを記憶部１４０から読み出し、これを送受信処理部１２０及びインターネット回線を介して、ユーザ用端末装置７０に送信する。このようにして、ユーザは、コンテンツのダウンロードに成功することにより、当該コンテンツを取得することができる（ステップＳＰ７０）。
【００３８】
このように本実施の形態によれば、ソーシャル・ネットワーキング・サービスの情報伝達機能を利用することにより、コンテンツ提供者から提供されるコンテンツを取得したユーザを介して、当該ユーザに関連付けられたソーシャル・ネットワーキング・サービス利用者に対して、コンテンツ提供者に関連する所定の情報を伝達することができ、従って情報伝達効率を向上させることができる。
【００３９】
なお、上述の実施の形態においては、コンテンツ提供者及びユーザがつながることを促す「つながる」ボタンと、ダウンロードの完了を表す情報を追加することを促す「広める」ボタンとを押下した際に、コンテンツをダウンロードできるようにした場合について述べたが、本発明はこれに限らず、コンテンツ提供者及びユーザがつながることを促す「つながる」ボタンと、システム管理者及びユーザがつながることを促す「つながる」ボタンと、ダウンロードの完了を表す情報を追加することを促す「広める」ボタンとを押下した際に、コンテンツをダウンロードできるようにしても良い。
【００４０】
また、上述の実施の形態においては、サーバ装置に第１〜第３のＳＮＳ提供用サーバ装置３０〜５０を接続する場合について述べたが、本発明はこれに限らず、サーバ装置に複数のＳＮＳ提供用サーバ装置を接続するようにすれば良い。
【００４１】
また、上述の実施の形態においては、記憶部として、記憶部１４０を適用した場合について述べたが、本発明はこれに限らず、サーバ装置２０を利用するために選定されたコンテンツ提供者固有のシステム用識別情報、及び第１〜第３のＳＮＳ提供用サーバ装置３０~５０に記憶されたコンテンツ提供者固有の第１〜第３のＳＮＳ用識別情報を含むコンテンツ提供者情報と、コンテンツ提供者が使用するコンテンツ提供者用端末装置６０から提供されたコンテンツとを対応付けて記憶する他の種々の記憶部を適用するようにしても良い。
【００４２】
また、上述の実施の形態においては、制御部として、制御部１００を適用した場合について述べたが、本発明はこれに限らず、所望のコンテンツの取得を要求するコンテンツ取得要求としてのコンテンツ選択情報がユーザ用端末装置７０から送信され、これを受信すると、コンテンツの取得に必要な条件を表すコンテンツ取得要件情報としての「つながる」ボタン及び「広める」ボタンをユーザ用端末装置７０に送信した後、ユーザが第１〜第３のＳＮＳ提供用サーバ装置３０〜５０のうちの所望のＳＮＳ提供用サーバ装置を利用するために割り当てられた、ユーザ固有のＳＮＳ用識別情報と、ユーザがコンテンツ取得要件情報に同意したことを表すコンテンツ取得要件同意情報としての「つながる」ボタン押下情報及び「広める」ボタン押下情報とが、ユーザ用端末装置７０から送信され、これらを受信した場合には、コンテンツ取得要求によって指定されたコンテンツと対応付けて記憶部１４０に記憶されているコンテンツ提供者情報に含まれるコンテンツ提供者固有のＳＮＳ用識別情報であって、かつ当該ＳＮＳ提供用サーバ装置に記憶されているコンテンツ提供者固有のＳＮＳ用識別情報に、ユーザ固有のＳＮＳ用識別情報を関連付けて記憶させるための第１の記憶制御情報と、ユーザ用端末装置７０から送信されたユーザ固有のＳＮＳ用識別情報であって、かつ当該ＳＮＳ提供用サーバ装置に記憶されているユーザ固有のＳＮＳ用識別情報に、所定の伝達情報を関連付けて記憶させるための第２の記憶制御情報とを生成し、これらを当該ＳＮＳ提供用サーバ装置に送信すると共に、コンテンツ取得要求によって指定されたコンテンツを記憶部１４０から読み出し、これをユーザ用端末装置７０に送信する他の種々の制御部を適用するようにしても良い。
【符号の説明】
【００４３】
１０  情報伝達システム
２０  サーバ装置
３０  第１のＳＮＳ提供用サーバ装置
４０  第２のＳＮＳ提供用サーバ装置
５０  第３のＳＮＳ提供用サーバ装置
６０  コンテンツ提供者用端末装置
７０  ユーザ用端末装置
１００  制御部
１１０  入力部
１２０  送受信処理部
１３０  表示部
１４０  記憶部
【図１】
0005632335.tif 000002
【図２】
0005632335.tif 000003
【図３】
0005632335.tif 000004